(57)【要約】【課題】積載物の荷重で変形することを抑制可能なブロックを提供する。【解決手段】地上に配置されるブロック１０であって、積載物が置かれる棒状の軸部１３と、軸部１３の径方向に突出され、かつ、互いに非直線状となるように、軸部１３の円周方向で異なる箇所に配置されて積載物が置かれる２本の脚部１４，１５と、軸部１３の円周方向で２本の脚部１４，１５の間に形成された広い範囲及び狭い範囲のうち、広い範囲に配置され、かつ、軸部１３から径方向に突出された支柱１９と、軸部１３の円周方向で狭い範囲に配置され、かつ、軸部１３の径方向に突出された突出部１６と、を有する。【選択図】図１
2017150159.tif 000002
【特許請求の範囲】
【請求項１】
地上に配置されるブロックであって、
積載物が置かれる棒状の軸部と、
前記軸部の径方向に突出され、かつ、互いに非直線状となるように、前記軸部の円周方向で異なる箇所に配置されて積載物が置かれる２本の脚部と、
前記軸部の円周方向で前記２本の脚部の間に形成された広い範囲及び狭い範囲のうち、前記広い範囲に配置され、かつ、前記軸部から径方向に突出された支柱と、
前記軸部の円周方向で前記狭い範囲に配置され、かつ、前記軸部の径方向に突出された突出部と、
を有する、ブロック。
【請求項２】
請求項１に記載のブロックにおいて、
前記２本の脚部は、前記軸部の長さ方向で互いに異なる位置に配置される第１脚部及び第２脚部である、ブロック。
【請求項３】
請求項２に記載のブロックにおいて、
前記軸部と前記２本の脚部と前記突出部とは、コンクリートにより一体成形されており、
前記第１脚部から前記支柱に亘って埋められた４本の第１主筋と、
前記第２脚部から前記軸部に亘って埋められた４本の第２主筋と、
前記突出部から前記軸部に亘って埋められた４本の第３主筋と、
４本の前記第１主筋を束ね、かつ、四角形に屈曲された第１補助筋と、
４本の前記第２主筋を束ね、かつ、四角形に屈曲された第２補助筋と、
４本の前記第３主筋を束ね、かつ、四角形に屈曲された第３補助筋と、
が設けられ、
４本の前記２主筋のうち前記軸部に埋められた箇所は、前記第３補助筋により束ねられている、ブロック。
【請求項４】
請求項１〜３のいずれか１項に記載の前記ブロックを、前記支柱を上に向け、かつ、前記突出部を下に向けた状態とし、かつ、前記軸部同士が互いに平行となるように複数個並べて１列のブロック群を形成する第１工程と、
前記第１工程で並べられた前記１列のブロック群の間及び上に、積載物をそれぞれ置いて擁壁を形成する第２工程と、
を有する、擁壁の施工方法。
【請求項５】
請求項２に記載の前記ブロックを、前記支柱を上に向け、かつ、前記突出部を下に向けた状態とし、かつ、前記軸部同士が互いに平行となるように、河川の上流から下流に向けて複数個並べて１列のブロック群を形成するにあたり、前記第１脚部が前記第２脚部よりも上流に位置するように、前記ブロックを並べる第３工程と、
前記第３工程で並べられた前記１列のブロック群の間及び上に、積載物をそれぞれ置いて擁壁を形成する第４工程と、
を有する、擁壁の施工方法。
【発明の詳細な説明】
【技術分野】
【０００１】
本発明は、土壌の側面を覆う擁壁の施工に用いるブロック及び擁壁の施工方法に関する。
【背景技術】
【０００２】
擁壁は、土壌の横圧に抗して法面の崩壊を防ぐために設計・構築される壁状の構造物である。この擁壁を形成する際に用いるブロック及び擁壁の施工方法が、特許文献１、２に記載されている。特許文献１、２に記載されたブロックは、コンクリートにより一体成形された本体部を備えている。本体部は、軸部と、軸部の長手方向の第１端部に設けられ、かつ、軸部に対して直角に延ばされた支柱と、軸部の長手方向の第１端部に設けられ、かつ、軸部に対して直角となるように延ばされた２本の脚部と、を備えている。
【０００３】
支柱及び２本の脚部は、軸部に対して垂直な平面内で、軸部の第１端部を中心として放射状に配置されている。また、軸部の長手方向の第２端部に突起が設けられている。突起は、軸部の外周面から径方向に突出されている。
【０００４】
擁壁を施工する際には、多数のブロックを地上に並列に並べる。この際、２本の脚部が斜め下方に向けられ、かつ、支柱は上方に向けられ、かつ、軸部は水平方向に対して若干傾斜した状態で接地される。そして、各軸部の上、脚部の上、ブロック同士の間等に石を積み、さらに、その上に、多数のブロックを並列に並べる。以下、上記と同様の作業を繰り返し、擁壁を施工する。
【先行技術文献】
【特許文献】
【０００５】
【特許文献１】特許第３４７２７０８号公報
【特許文献２】特許第３５８５４８３号公報
【発明の概要】
【発明が解決しようとする課題】
【０００６】
しかしながら、特許文献１、２に記載されたブロックを用いて擁壁を施工する場合、ブロックの上に積載物を載せると、積載物の荷重は、軸部と２本の脚部との分岐箇所に加わり、ブロックが変形する可能性があった。
【０００７】
本発明の目的は、擁壁を形成するために石を積んだ場合に、石の荷重で変形することを抑制可能なブロック、および擁壁の施工方法を提供することである。
【課題を解決するための手段】
【０００８】
本発明は、地上に配置されるブロックであって、積載物が置かれる棒状の軸部と、前記軸部の径方向に突出され、かつ、互いに非直線状となるように、前記軸部の円周方向で異なる箇所に配置されて積載物が置かれる２本の脚部と、前記軸部の円周方向で前記２本の脚部の間に形成された広い範囲及び狭い範囲のうち、前記広い範囲に配置され、かつ、前記軸部から径方向に突出された支柱と、前記軸部の円周方向で前記狭い範囲に配置され、かつ、前記軸部の径方向に突出された突出部と、を有する。
【０００９】
本発明は、前記２本の脚部は、前記軸部の長さ方向で互いに異なる位置に配置される第１脚部及び第２脚部である。
【００１０】
本発明は、前記軸部と前記２本の脚部と前記突出部とは、コンクリートにより一体成形されており、前記第１脚部から前記支柱に亘って埋められた４本の第１主筋と、前記第２脚部から前記軸部に亘って埋められた４本の第２主筋と、前記突出部から前記軸部に亘って埋められた４本の第３主筋と、４本の前記第１主筋を束ね、かつ、四角形に屈曲された第１補助筋と、４本の前記第２主筋を束ね、かつ、四角形に屈曲された第２補助筋と、４本の前記第３主筋を束ね、かつ、四角形に屈曲された第３補助筋と、が設けられ、４本の前記２主筋のうち前記軸部に埋められた箇所は、前記第３補助筋により束ねられている。
【００１１】
本発明は、前記ブロックを、前記支柱を上に向け、かつ、前記突出部を下に向けた状態とし、かつ、前記軸部同士が互いに平行となるように複数個並べて１列のブロック群を形成する第１工程と、前記第１工程で並べられた前記１列のブロック群の間及び上に、積載物をそれぞれ置いて擁壁を形成する第２工程と、を有する。
【００１２】
本発明は、前記ブロックを、前記支柱を上に向け、かつ、前記突出部を下に向けた状態とし、かつ、前記軸部同士が互いに平行となるように、河川の上流から下流に向けて複数個並べて１列のブロック群を形成するにあたり、前記第１脚部が前記第２脚部よりも上流に位置するように、前記ブロックを並べる第３工程と、前記第３工程で並べられた前記１列のブロック群の間及び上に、積載物をそれぞれ置いて擁壁を形成する第４工程と、を有する。
【発明の効果】
【００１３】
本発明のブロックによれば、積載物の荷重を、軸部及び２本の脚部及び突出部で受けるため、ブロックが変形、破損することを抑制できる。
【００１４】
本発明の擁壁の施工方法によれば、積載物の荷重を、軸部及び２本の脚部及び突出部で受けるため、ブロックが変形、破損することを抑制でき、擁壁の強度が増す。
【図面の簡単な説明】
【００１５】
【図１】本発明のブロックを示す斜視図である。
【図２】図１のブロックを複数並べた平面図である。
【図３】図１のブロックの側面図である。
【図４】図３のブロックのＩＶ−ＩＶ線における正面断面図である。
【図５】図３のブロックのＶ−Ｖ線における正面断面図である。
【図６】図３のブロックのＶＩ−ＶＩ線における部分的な平面断面図である。
【図７】（Ａ）〜（Ｃ）は、ブロックの本体部に埋める主筋の説明図である。
【図８】（Ａ）は、ブロックの本体部に埋める主筋の説明図、（Ｂ），（Ｃ）は、補助筋の説明図である。
【図９】本発明のブロックを用いて施工した擁壁の側面断面図である。
【図１０】図９に示す擁壁の模式的正面図である。
【発明を実施するための形態】
【００１６】
本発明のブロックを、図１〜図６を参照して説明し、ブロックに用いる鉄筋を図７及び図８により説明し、擁壁の施工方法を、図２、図９、図１０を参照して説明する。なお、図３〜図６は、共に断面図であるが、便宜上、ハッチングを省略している。本発明のブロック１０は、コンクリートにより一体成形された本体部１１と、本体部１１に埋め込まれた鉄筋１２と、を備えている。本体部１１は、棒状の軸部１３と、軸部１３に連続された２本の脚部としての脚部１４及び脚部１５と、軸部１３に連続された突出部１６及び支柱１９と、を備えている。軸部１３は、その中心線Ａ１に対して垂直な平面内における断面形状が六角形である。また、中心線Ａ１に沿った方向の異なる位置で、軸部１３の外径は一定である。
【００１７】
脚部１４及び脚部１５は、軸部１３の中心線Ａ１に沿った方向、つまり、軸部１３の長手方向における中央と、軸部１３の第１端部１７との間に配置されている。脚部１４と脚部１５とは、図３のように、中心線Ａ１に対して垂直な平面内において、軸部１３の円周方向で異なる箇所に配置されている。脚部１４と脚部１５とは、中心線Ａ１に対して垂直な平面内において、互いに非直線状となる位置に配置されている。
【００１８】
脚部１４の中心線Ｂ１と、脚部１５の中心線Ｂ２との間に、軸部１３の円周方向で広い角度θ１の範囲Ｄ１と、狭い角度θ２の範囲Ｄ２とが形成されている。角度θ１は角度θ２よりも広く（大きく）、角度θ１は２４０度であり、角度θ２は１２０度である。中心線Ｂ１に対して垂直な平面内における脚部１４の断面形状は六角形である。中心線Ｂ２に対して垂直な平面内における脚部１５の断面形状は六角形である。
【００１９】
また、脚部１５は、中心線Ａ１に沿った方向で、脚部１４と第２端部１８との間に配置されている。つまり、脚部１４と脚部１５とは、図２に示すように、中心線Ａ１に沿った方向における配置範囲が互いに異なる。中心線Ａ１から脚部１４の先端までの半径は、中心線Ａ１から脚部１５の先端までの半径と同じである。
【００２０】
支柱１９は、軸部１３の円周方向で範囲Ｄ１内に配置され、かつ、軸部１３から径方向に突出されている。中心線Ａ１から、支柱１９の先端までの半径は、中心線Ａ１から脚部１４の先端及び脚部１５の先端までの半径と同じである。中心線Ａ１に沿った方向において、支柱１９の配置範囲は、脚部１４の配置範囲と同じである。
【００２１】
突出部１６は、軸部１３の円周方向で範囲Ｄ２内に配置されている。軸部１３の円周方向で、支柱１９と突出部１６とは、互いに１８０度の位置に配置されている。つまり、支柱１９及び突出部１６は共通の中心線Ｃ１を有する。中心線Ｃ１に対して垂直な平面内における支柱１９の断面形状、及び突出部１６の断面形状は、共に六角形である。
【００２２】
本体部１１は、軸部１３の中心線Ａ１に沿った方向で、支柱１９と第２端部１８との間に設けた羽根２０を有する。羽根２０は、軸部１３の長さ方向で、軸部１３の中央と第２端部１８との間に配置されている。また、羽根２０は、軸部１３の円周方向で、支柱１９と同じ箇所に配置されている。羽根２０は、軸部１３の外周面から、軸部１３の径方向に突出されている。中心線Ａ１から羽根２０の先端までの半径は、中心線Ａ１から支柱１９の先端までの半径未満である。
【００２３】
さらに、本体部１１は、軸部１３と支柱１９とをつなぐ補強部２１を有する。補強部２１は、軸部１３の円周方向で、支柱１９と同じ範囲に配置されている。補強部２１は、軸部１３の中心線Ａ１に沿った方向で、支柱１９と羽根２０との間に配置されている。補強部２１は、軸部１３の外周面から、軸部１３の径方向に延ばされている。
【００２４】
次に、鉄筋１２の構成を説明する。鉄筋１２は、４本の主筋２２ａ，２２ｂと、４本の主筋２３ａ，２３ｂと、４本の主筋２４ａ，２４ｂと、を含む。主筋２２ａは２本設けられ、主筋２２ｂは２本設けられている。また、主筋２２ａは主筋２２ｂよりも長い。
【００２５】
２本の主筋２２ａは、２つの直線部２２ｃ，２２ｄをそれぞれ備え、直線部２２ｃと直線部２２ｄとの接続部分が屈曲している。２本の主筋２２ａの直線部２２ｃは、支柱１９から軸部１３に亘って埋められ、２本の主筋２２ａの直線部２２ｄは、脚部１４から支柱１９に亘って埋められている。
【００２６】
２本の主筋２２ｂは、２つの直線部２２ｅ，２２ｆをそれぞれ備え、直線部２２ｅと直線部２２ｆとの接続部分が屈曲している。２本の主筋２２ｂの直線部２２ｅは、支柱１９から軸部１３に亘って埋められ、２本の主筋２２ｂの直線部２２ｆは、脚部１４から支柱１９に亘って埋められている。
【００２７】
図３のように、中心線Ａ１に対して垂直な平面内で、主筋２２ａと主筋２２ｂとが互いに平行に配置され、かつ、中心線Ａ１は、主筋２２ａと主筋２２ｂとの間に位置している。また、図３のように、中心線Ａ１に対して垂直な平面内で、中心線Ｂ２に沿った方向で、主筋２２ａは、主筋２２ｂと脚部１５との間に配置されている。また、２つの直線部２２ｃ及び２つの直線部２２ｅは、４本の補助筋２５により束ねられ、２つの直線部２２ｄ及び２つの直線部２２ｆは、図４のように、４本の補助筋２８により束ねられている。
【００２８】
２つの直線部２２ｃ及び２つの直線部２２ｅを束ねる４本の補助筋２５は、中心線Ｃ１に対して垂直な平面内で、図６のように四角形に屈曲されている。また、２つの直線部２２ｄ及び２つの直線部２２ｆを束ねる４本の補助筋２５は、中心線Ｂ１に対して垂直な平面内で四角形に屈曲されている。
【００２９】
２本の主筋２３ａは、２つの直線部２３ｃ，２３ｄをそれぞれ備えている。直線部２３ｃと直線部２３ｄとが接続されており、主筋２３ａはＬ字形状に屈曲されている。２本の主筋２３ａの直線部２３ｃは、脚部１５から軸部１３に亘って埋められ、２本の主筋２３ａの直線部２３ｄは、軸部１３に埋められている。
【００３０】
２本の主筋２３ｂは、２つの直線部２３ｅ，２３ｆをそれぞれ備えている。直線部２３ｅと直線部２３ｆとが接続されており、主筋２３ｂはＬ字形状に屈曲されている。２本の主筋２３ｂの直線部２３ｅは、脚部１５から軸部１３に亘って埋められ、２本の主筋２３ｂの直線部２３ｆは、軸部１３に埋められている。
【００３１】
図５のように、中心線Ａ１に対して垂直な平面内で、主筋２３ａと主筋２３ｂとが互いに平行に配置され、かつ、中心線Ａ１は、２つの直線部２３ｄと、２つの直線部２３ｆとの間に位置している。
【００３２】
２本の主筋２４ａは、２つの直線部２４ｃ，２４ｄをそれぞれ備え、直線部２４ｃと直線部２４ｄとが接続されて、主筋２４ａはＬ字形状に屈曲されている。２本の主筋２４ａの直線部２４ｄは、突出部１６から軸部１３に亘って埋められ、２本の主筋２４ａの直線部２４ｃは、軸部１３に埋められている。
【００３３】
２本の主筋２４ｂは、２つの直線部２４ｅ，２４ｆをそれぞれ備え、直線部２４ｅと直線部２４ｆとが接続されて、主筋２４ｂはＬ字形状に屈曲されている。２本の主筋２４ｂの直線部２４ｆは、突出部１６から軸部１３に亘って埋められ、２本の主筋２４ｂの直線部２４ｅは、軸部１３に埋められている。
【００３４】
２本の主筋２４ａは、２本の主筋２４ｂよりも長く、２本の主筋２４ａ同士は互いに平行であり、２本の主筋２４ａ同士は互いに平行である。図４に示すように、中心線Ｃ１に沿った方向で、中心線Ａ１は、２つの直線部２４ｃと２つの直線部２４ｅとの間に配置されている。また、図４に示すように、中心線Ａ１に対して垂直な平面内で、２つの直線部２３ｄは、２つの直線部２４ｃの間に配置され、２つの直線部２３ｆは、２つの直線部２４ｅの間に配置されている。
【００３５】
そして、７本の補助筋２６が四角形に屈曲されて、２つの直線部２４ｃ及び２つの直線部２４ｅを束ねている。このうち、２本の補助筋２６は、２つの直線部２４ｃ及び２つの直線部２４ｅと共に、２本の直線部２３ｄ及び２本の直線部２３ｆをも束ねている。また、２つの直線部２４ｄ及び２つの直線部２４ｆを束ねた２本の補助筋２９が、突出部１６に埋められている。突出部１６に埋められた２本の補助筋２９は、四角形に屈曲されている。
【００３６】
さらに、２つの直線部２３ｃ及び２つの直線部２３ｅを束ねた４本の補助筋２７が設けられている。３本の補助筋２７は脚部１５に埋められ、１本の補助筋２７は軸部１３に埋められている。
【００３７】
さらに、本体部１１に１本の主筋３０が埋められている。主筋３０は、図８（Ａ）のように、直線部３０ａと、直線部３０ａの両端にそれぞれ接続された直線部３０ｂ，３０ｃと、を有する。直線部３０ａは、補強部２１に埋められ、直線部３０ｂは、支柱１９に埋められ、直線部３０ｃは、軸部１３に埋められている。つまり、直線部３０ｂは、ブロック１０の側面断面図である図３において、中心線Ｃ１と平行に配置され、直線部３０ｃは、中心線Ａ１と平行に配置され、直線部３０ａは、中心線Ａ１，Ｃ１に対して傾斜して配置されている。補助筋２５，２８，２９、主筋３０は、鉄筋１２の一部を構成する。
【００３８】
次に、ブロック１０を多数用いた擁壁の施工例を図２、図９、図１０を参照して説明する。地上３１に対して盛り土した土壌３２が形成されており、地上３１には、土壌３２の下縁に沿って溝３３が設けられている。
【００３９】
まず、第１工程において、複数個のブロック１０を溝３３内に、かつ、土壌３２に沿って水平方向に並べて、１列のブロック１０群を形成する。ここで、隣り合うブロック１０同士は、配列方向で、脚部１４の一部と脚部１５とを重ならせる。つまり、いずれかのブロック１０の脚部１４と、裏込材３５との間に、他のブロック１０の脚部１５が配置される。また、軸部１３同士は、互いに平行である。さらに、溝３３に配置された１列のブロック１０群は、支柱１９は溝３３の外に位置しており、その他の部位は溝３３内に位置する。各ブロック１０の支柱１９は上に向けられ、かつ、突出部１６は下に向けられる。また、１列のブロック１０群は、中心線Ａ１が溝３３の底面３３ａに対して傾斜している。具体的には、法面３４に近づくほど、中心線Ａ１と底面３３ａとの間隔が短くなる向きで、中心線Ａ１が底面３３ａに対して傾斜している。
【００４０】
第２工程では、ブロック１０同士の間、及びブロック１０の上に、多数の前石材３６及び多数の中詰材３７を敷き詰める。前石材３６は、擁壁３８の前面を形成する石であり、風化しにくい岩石、胴長のある石が使用される。前石材３６は、支柱１９と支柱１９との間に置かれ、脚部１４及び脚部１５の上に載せられる。また、前石材３６は、軸部１３上にも載せられる。中詰材３７は、形状が丸いとともに、前石材３６よりも小さく、かつ、軽量な石である。中詰材３７は、前石材３６同士の間、脚部１４及び脚部１５の下、軸部１３の下、軸部１３と軸部１３との間に敷き詰められる。前石材３６、中詰材３７は、自然石、人工石のいずれでもよい。第２工程において、前石材３６及び中詰材３７が、略水平方向に敷かれる置かれる上端の高さは、支柱１９の中途部位までである。さらに、第２工程では、裏込材３５が、ブロック１０の軸部１３と、土壌３２の法面３４と、の間に敷き詰められる。
【００４１】
以後、第１工程及び第２工程を複数回繰り返して、１列のブロック１０群を高さ方向に複数段積み上げた擁壁３８が完成する。本実施形態で施工される擁壁３８はもたれ式の構造である。擁壁３８の最上段にはプレート形状のブロック３９が置かれ、土壌３２の上面と、擁壁３８の上面と、の平面性が確保される。
【００４２】
施行が完了した擁壁３８は、積まれた段が異なるブロック１０同士は、図１０に示すように、水平方向に位置ずれしている。つまり、所定段のブロック１０の支柱１９と、所定段よりも２段上のブロック１０の支柱１９とが、水平方向で同じ位置に配置される。擁壁３８を正面視すると、所定の段で隣り合う２個のブロック１０と、所定の段よりも１段上で、２個のブロック１０の間に配置される１個のブロック１０とで、ハニカム形状（六角形）が構成される。また、各段におけるブロック１０群の支柱１９は、１つ下段のブロック１０群の支柱１９よりも後方に配置されている。また、各段におけるブロック１０の中心線Ｃ１同士は平行であり、かつ、各段におけるブロック１０の中心線Ａ１同士は平行である。
【００４３】
本実施形態のブロック１０を用いて完成した擁壁３８、または、擁壁３８の施工途中で、各ブロック１０は、脚部１４の先端と、脚部１５の先端と、軸部１３の第２端部１８と、突出部１６の先端後との４箇所が、地上３１または、ブロック１０の下に位置する前石材３６及び中詰材３７に接触する。このため、ブロック１０が、上に載せられた前石材３６及び中詰材３７の荷重を受けた場合に、変形、破損を抑制できる。特に、脚部１４及び脚部１５は、図４に示す範囲Ｄ１の角度θ２が拡大する向きで、変形、破損することを抑制できる。したがって、ブロック１０の強度を確保でき、かつ、擁壁３８の形態保持性能が向上する。
【００４４】
本実施形態のブロック１０の製造工程では、型枠に鉄筋１２を入れ、かつ、流動状態のコンクリートを型枠に充填して固化して製造する。ここで、軸部１３は中心線Ａ１に沿った方向の外径は一定であるため、型枠内でコンクリートが流れる際の充填性がよくなる。
【００４５】
上記のブロック１０を用いて施工する擁壁３８を、河川の護岸とする場合は、擁壁３８は右岸に施工する。右岸は、河川の下流を向いて右側であり、左岸は、河川の下流を向いて左側である。図２のように、ブロック１０の単体では、脚部１４が脚部１５よりも河川４０で上流に配置される。つまり、ブロック１０の単体では、脚部１５は脚部１４よりも下流に配置される。
【００４６】
前述したブロック１０において、脚部１４は、中心線Ａ１に沿った方向で、第１端部１７と脚部１５との間に配置されている。このため、河川４０の上流から下流に向けて流れる水は、図１０において、脚部１４の形状に沿って斜め上向きに流れ、その後に支柱１９にぶつかり、上方へ誘導される。つまり、右岸を正面から見て時計回りの渦が形成される。したがって、河川の流れの流速が高くなることを抑制でき、河床の洗掘を抑制する効果
を得られる。
【００４７】
なお、河川の左岸に擁壁を施工する場合は、脚部１４と脚部１５との位置関係を、中心線Ａ１に沿った方向で逆にしたブロックを用いる。つまり、脚部１５が、中心線Ａ１に沿った方向で、第１端部１７と脚部１４との間に配置されたブロックを用いる。このブロックを用いて河川の左岸に擁壁を施工すると、上流から下流に向けて流れる水は、脚部１５の形状に沿って斜め上向きに流れ、その後に支柱１９にぶつかって上方へ誘導される。つまり、左岸を正面から見て反時計回りの渦が形成される。したがって、河川の流れの流速が高くなることを抑制でき、河床の洗掘を抑制する効果を得られる。
【００４８】
なお、河川の右岸または左岸に擁壁を施工する場合、上記第１工程が第３工程であり、上記第２工程が第４工程である。
【００４９】
本発明の実施形態と、本発明の構成との対応関係を説明すると、ブロック１０が本発明のブロックに相当し、擁壁３８が、本発明の擁壁に相当する。また、脚部１４が、第１脚部に相当し、脚部１５が第２脚部に相当する。また、ブロック１０を、右岸用の擁壁に用いる場合、脚部１４が、第１脚部に相当し、脚部１５が第２脚部に相当する。これに対して、ブロック１０を、左岸用の擁壁に用いる場合、脚部１５が、第１脚部に相当し、脚部１４が第２脚部に相当する。
【００５０】
また、軸部１３が、本発明の軸部に相当し、第１端部１７が、本発明の第１端部に相当し、第２端部１８が、本発明の第２端部に相当し、突出部１６が、本発明の突出部に相当し、主筋２２ａ，２２ｂが、本発明の第１主筋に相当し、主筋２３ａ，２３ｂが、本発明の第２主筋に相当し、主筋２４ａ，２４ｂが、本発明の第３主筋に相当する。さらに、補助筋２５，２８が、本発明の第１補助筋に相当し、補助筋２７が、本発明の第２補助筋に相当し、補助筋２６，２９が、本発明の第３補助筋に相当する。さらに、羽根２０が、本発明の羽根に相当し、前石材３６及び中詰材３７が、本発明の積載物に相当する。
【００５１】
また、実施形態で説明した第１工程が、本発明の第１工程に相当し、実施形態で説明した第２工程が、本発明の第２工程に相当する。なお、河川の右岸または左岸に擁壁を施工する場合、実施形態で説明した第１工程が、本発明の第３工程に相当し、実施形態で説明した第２工程が、本発明の第４工程に相当する。
【００５２】
本発明は前記実施の形態に限定されるものではなく、その要旨を逸脱しない範囲で種々変更可能である。例えば、軸部、脚部、支柱、突出部の断面形状は、円形、四角形、五角形でもよい。また、主筋の数、補助筋の数は、任意に変更可能である。
【符号の説明】
【００５３】
１０  ブロック
１３  軸部
１４，１５  脚部
１６  突出部
１７  第１端部
１８  第２端部
１９  支柱
２０  羽根
２２ａ，２２ｂ，２３ａ，２３ｂ，２４ａ，２４ｂ  主筋
２５，２６，２８，２９  補助筋
３６  前石材
３７  中詰材
３８  擁壁
【図１】
2017150159.tif 000003
【図２】
2017150159.tif 000004
【図３】
2017150159.tif 000005
【図４】
2017150159.tif 000006
【図５】
2017150159.tif 000007
【図６】
2017150159.tif 000008
【図７】
2017150159.tif 000009
【図８】
2017150159.tif 000010
【図９】
2017150159.tif 000011
【図１０】
2017150159.tif 000012